(57)【要約】【課題】サブフレームによりメインフレームの振動をより一層効果的に抑制する。【解決手段】メインフレーム１４上に光ディスクＤを回転駆動するスピンドルモータ１６及び光ディスクＤの半径方向に移動自在な光ピックアップ１８を取り付けた状態で、筐体１１とメインフレーム１４との間を第１の弾性部材１３により弾性的に支持し、且つ、メインフレーム１４とサブフレーム１９との間を第２の弾性部材２１により弾性的に支持して、光ディスクＤの偏重心によりメインフレーム１４で生じた振動をサブフレーム１９で吸収する際に、サブフレーム１９の重心位置Ｇｓをメインフレーム１４上での全体の重心位置Ｇｍに略一致させている。【選択図】図１
2006269025.tif 000002
【特許請求の範囲】
【請求項１】
筐体と、
前記筐体内に設けられ、ディスクを載置するためのターンテーブルをモータ軸に固着して回転駆動するスピンドルモータと、前記ディスクの半径方向に移動自在な光ピックアップ及び／又は磁気ヘッドとを取り付けたメインフレームと、
前記筐体と前記メインフレームとの間を少なくとも３箇所弾性的に支持する第１の弾性部材と、
前記メインフレームに生じた振動を吸収するために該メインフレーム上に配設されるサブフレームと、
前記メインフレームと前記サブフレームとの間を少なくとも３箇所弾性的に支持する第２の弾性部材とを備えたディスクドライブ装置において、
前記サブフレームの重心位置を前記メインフレーム上での全体の重心位置に略一致させたことを特徴とするディスクドライブ装置。
【請求項２】
筐体と、
前記筐体内に設けられ、ディスクを載置するためのターンテーブルをモータ軸に固着して回転駆動するスピンドルモータと、前記ディスクの半径方向に移動自在な光ピックアップ及び／又は磁気ヘッドとを取り付けたメインフレームと、
前記筐体と前記メインフレームとの間を少なくとも３箇所弾性的に支持する第１の弾性部材と、
前記メインフレームに生じた振動を吸収するために該メインフレーム上に配設されるサブフレームと、
前記メインフレームと前記サブフレームとの間を少なくとも３箇所弾性的に支持する第２の弾性部材とを備えたディスクドライブ装置において、
前記サブフレームを前記ターンテーブルに載置した前記ディスクより上方に配設させたことを特徴とするディスクドライブ装置。
【発明の詳細な説明】
【技術分野】
【０００１】
本発明は、光ディスクや光磁気ディスクとか磁気ディスクなどのディスクに情報信号を記録及び／又は再生する際に、ディスクを回転駆動するスピンドルモータの回転により生じる振動を抑制するように構成したディスクドライブ装置に関するものである。
【背景技術】
【０００２】
一般的に、光ディスクや光磁気ディスクとか磁気ディスクなどのディスクは、音楽情報，映像情報，あるいはその他のデータなどを大容量に記録及び／又は再生でき、且つ、所望の情報を高速にアクセスできることから多用されているが、ディスクに情報信号を記録及び／又は再生する際に、ディスクを回転駆動するスピンドルモータの回転により生じる振動を抑制するように構成したディスクの駆動装置が開示されている（例えば、特許文献１参照）。
【特許文献１】特開２００４−６０１４号公報（第４−５頁、図１−図３）。
【０００３】
図５（ａ），（ｂ）は従来のディスクの駆動装置を示した上面図、縦断面図、
図６は従来のディスクの駆動装置において、振動モデルを説明するための図である。
【０００４】
図５（ａ），（ｂ）に示した如く、従来のディスクの駆動装置１００は、上記した特許文献１（特開２００４−６０１４号公報）に開示されているものであり、ここでは特許文献１を参照して簡略に説明する。
【０００５】
図５（ａ），（ｂ）に示した如く、従来のディスクの駆動装置１００では、筺体１０１内の底板１０１ａ上にメインフレーム１０２がゴム材や樹脂材を用いて形成した第１の弾性部材１０３により外周に沿って少なくとも３箇所弾性的に支持されている。
【０００６】
このメインフレーム１０２には、光ディスクＤを搭載するためのターンテーブル１０４をモータ軸に固着して光ディスクＤを回転駆動するスピンドルモータ１０５と、一対のガイドレール１０６，１０６に案内されて光ディスクＤの半径方向に移動自在な光ピックアップ１０７とが取り付けられている。
【０００７】
更に、メインフレーム１０２への振動吸収器として機能するサブフレーム１０８が、メインフレーム１０２よりも上で且つターンテーブル１０４のディスク載置面１０４ａよりも下に配設されており、このサブフレーム１０８はメインフレーム１０２に対してゴム材や樹脂材を用いて形成した第２の弾性部材１０９により外周に沿って少なくとも３箇所弾性的に支持されている。この際、サブフレーム１０８をメインフレーム１０２上でスピンドルモータ１０５の右方に配置することで、サブフレーム１０８の重心をスピンドルモータ１０５の回転軸上に設定している。
【０００８】
上記に伴って、メインフレーム１０２は第１の弾性部材１０３の作用により外部振動に対してその影響を受けにくい構造を維持し、また、スピンドルモータ１０５が回転した時に光ディスクＤのアンバランス等によりメインフレーム１０２に生じる振動はサブフレーム１０８と第２の弾性部材１０９とによる振動吸収作用により抑制されることで、光ディスクＤの記録及び／又は再生が良好に行えるようになっている。
【０００９】
ここで、図６は、従来のディスクの駆動装置１００における振動モデルを示しており、この振動モデルでは、先に図５を用いて説明したように偏重心を持つ光ディスクＤがターンテーブル１０４上に搭載されてスピンドルモータ１０５により高速に回転した時に、光ディスクＤの偏重心によりメインフレーム１０２が振動すると、メインフレーム１０２上で第２の弾性部材１０９により弾性的に支持されたサブフレーム１０８はメインフレーム１０２に対して逆位相となって振動するため、メインフレーム１０２の振動を効果的に抑制することが可能である。また、筐体１０１とメインフレーム１０２との間は第１の弾性部材１０３により弾性的に支持されているため、外部振動に対しても充分な制振効果を得ることができる旨が開示されている。
【発明の開示】
【発明が解決しようとする課題】
【００１０】
ところで、上記した従来のディスクの駆動装置１００によれば、筐体１０１とメインフレーム１０２との間を第１の弾性部材１０３により弾性的に支持し、且つ、メインフレーム１０２とサブフレーム１０８との間を第２の弾性部材１０９により弾性的に支持することで、サブフレーム１０８をメインフレーム１０２の振動に対して振動吸振器として作用させることができるものの、以下の（１）項及び（２）項に記載する問題点が生じている。
【００１１】
（１）  サブフレーム１０８の重心をスピンドルモータ１０５の回転軸上に設定することで、光ディスクＤの偏重心により発生する振動を効果的に抑制できる旨が開示されているものの、サブフレーム１０８はスピンドルモータ１０５の右方に偏って配設されており、且つ、スピンドルモータ１０５の回転軸上はメインフレーム１０２上での全体の重心位置とは異なっているために、サブフレーム１０８による振動の抑制が完璧ではない。
【００１２】
（２）  サブフレーム１０８は、前述したように、メインフレーム１０２よりも上で且つターンテーブル１０４のディスク載置面１０４ａよりも下に配設されており、この際、図５（ｂ）に示したようにメインフレーム１０２から光ディスクＤまでの高さをＨ１と設定し、且つ、メインフレーム１０２からサブフレーム１０８までの高さをＨ２と設定すると共に、光ディスクＤの偏重心により光ディスクＤの面方向に発生した力をＦ１とし、サブフレーム１０８でこの力を打ち消すのに必要な力をＦ２とすると、下記の（１式）の関係が成り立つ。
【００１３】
［数１］
Ｆ２／Ｆ１＝Ｈ１／Ｈ２          ………（１式）
【００１４】
従って、上記した（１式）により、Ｈ２がＨ１に対して小さいと、Ｆ２は大きい値になる。この力Ｆ２に対する振動をサブフレーム１０８で抑える場合を考えると、Ｆ２の大きな力に対してサブフレーム１０８の質量は重くしなければ振動を抑制できないので問題である。
【００１５】
そこで、筐体とメインフレームとの間で第１の弾性部材により外部振動を吸収し、且つ、メインフレームとサブフレームとの間で第２の弾性部材によりメインフレームの振動をサブフレームで吸収する際に、サブフレームによりメインフレームの振動をより一層効果的に抑制できるディスクドライブ装置が望まれている。
【課題を解決するための手段】
【００１６】
本発明は上記課題に鑑みてなされたものであり、請求項１記載の発明は、筐体と、
前記筐体内に設けられ、ディスクを載置するためのターンテーブルをモータ軸に固着して回転駆動するスピンドルモータと、前記ディスクの半径方向に移動自在な光ピックアップ及び／又は磁気ヘッドとを取り付けたメインフレームと、
前記筐体と前記メインフレームとの間を少なくとも３箇所弾性的に支持する第１の弾性部材と、
前記メインフレームに生じた振動を吸収するために該メインフレーム上に配設されるサブフレームと、
前記メインフレームと前記サブフレームとの間を少なくとも３箇所弾性的に支持する第２の弾性部材とを備えたディスクドライブ装置において、
前記サブフレームの重心位置を前記メインフレーム上での全体の重心位置に略一致させたことを特徴とするディスクドライブ装置である。
【００１７】
また、第２の発明は、筐体と、
前記筐体内に設けられ、ディスクを載置するためのターンテーブルをモータ軸に固着して回転駆動するスピンドルモータと、前記ディスクの半径方向に移動自在な光ピックアップ及び／又は磁気ヘッドとを取り付けたメインフレームと、
前記筐体と前記メインフレームとの間を少なくとも３箇所弾性的に支持する第１の弾性部材と、
前記メインフレームに生じた振動を吸収するために該メインフレーム上に配設されるサブフレームと、
前記メインフレームと前記サブフレームとの間を少なくとも３箇所弾性的に支持する第２の弾性部材とを備えたディスクドライブ装置において、
前記サブフレームを前記ターンテーブルに載置した前記ディスクより上方に配設させたことを特徴とするディスクドライブ装置である。
【発明の効果】
【００１８】
請求項１記載のディスクドライブ装置によると、メインフレーム上に光ディスクを回転駆動するスピンドルモータ及び光ディスクの半径方向に移動自在な光ピックアップを取り付けた状態で、筐体とメインフレームとの間を第１の弾性部材により弾性的に支持し、且つ、メインフレームとサブフレームとの間を第２の弾性部材により弾性的に支持して、光ディスクの偏重心によりメインフレームで生じた振動をサブフレームで吸収する際に、サブフレームの重心位置をメインフレーム上での全体の重心位置に略一致させているので、メインフレームで生じた振動をサブフレームにより従来例よりも一層効果的に抑制することができる。
【００１９】
また、請求項２記載のディスクドライブ装置によると、メインフレーム上に光ディスクを回転駆動するスピンドルモータ及び光ディスクの半径方向に移動自在な光ピックアップを取り付けた状態で、筐体とメインフレームとの間を第１の弾性部材により弾性的に支持し、且つ、メインフレームとサブフレームとの間を第２の弾性部材により弾性的に支持して、光ディスクの偏重心によりメインフレームで生じた振動をサブフレームで吸収する際に、サブフレームをターンテーブルに載置したディスクより上方に配設させたため、従来例に比べ、より質量の軽いサブフレームで効果的に振動を抑制することができ、ディスクドライブ装置の軽量化を行うことが可能である。
【発明を実施するための最良の形態】
【００２０】
以下に本発明に係るディスクドライブ装置の一実施例を図１〜図４を参照して、実施例１，実施例２の順に詳細に説明する。
【実施例１】
【００２１】
図１（ａ），（ｂ）は本発明に係る実施例１のディスクドライブ装置を示した上面図，縦断面図、
図２は本発明に係る実施例１のディスクドライブ装置において、（ａ）は図１に示した第１，第２の弾性部材を拡大して示した縦断面図であり、（ｂ）は第１，第２の弾性部材の支持状態を拡大して示した縦断面図、
図３は本発明に係る実施例１のディスクドライブ装置において、振動モデルを説明するための図である。
【００２２】
図１（ａ），（ｂ）に示した如く、本発明に係る実施例１のディスクドライブ装置１０Ａでは、筺体１１が箱状に形成されている。
【００２３】
この筺体１１は、底板１１ａの左端に垂設した左側板１１ｂの内側から左側弾性部材支持片１１ｂ１，１１ｂ１が前後で間隔を離して底板１１ａと平行に右方に向かって２箇所突出形成されていると共に、底板１１ａ上の右方に右側弾性部材支持片１１ａ１，１１ａ１が上方に向かった後に左方に屈曲して左側弾性部材支持片１１ｂ１，１１ｂ１と同じ高さで前後で間隔を離して２箇所突出形成されている。
【００２４】
また、筺体１１内の前後左右に間隔を離して形成した左側弾性部材支持片１１ｂ１，１１ｂ１及び右側弾性部材支持片１１ａ１，１１ａ１には、合計で４本のシャフト１２がそれぞれ植設されており、各シャフト１２に合計で４個の第１の弾性部材１３が取り付けられている。そして、略矩形状に形成したメインフレーム１４の四隅に形成した各孔内に第１の弾性部材１３中の中間部位が嵌め込まれている。これにより、メインフレーム１４は４個の第１の弾性部材１３により筺体１１の底板１１ａに対して略平行に弾性的に支持されている。
【００２５】
上記したメインフレーム１４の上面１４ａには、光ディスクＤを搭載するためのターンテーブル１５をモータ軸に固着して光ディスクＤを回転駆動するスピンドルモータ１６と、一対のガイドレール１７，１７に案内されて光ディスクＤの半径方向に移動自在な光ピックアップ１８とが取り付けられている。この際、メインフレーム１４上での全体の重心位置Ｇｍは、移動範囲の略中間位置に至った位置での光ピックアップ１８の重量と、スピンドルモータ１６の重量とから算出してスピンドルモータ１６よりも左方でターンテーブル１５の外周近傍に設定されている。
【００２６】
また、メインフレーム１４内には、光ディスクＤの下面側に配設した光ピックアップ１８を臨ませるための逃げ孔１４ｂが貫通して形成されており、この逃げ孔１４ｂの前後に沿って光ピックアップ１８を左右に案内する一対のガイドレール１７，１７が平行に設けられている。
【００２７】
尚、光ディスクＤに代えて光磁気ディスク（図示せず）をターンテーブル１５上に搭載した場合には、光ピックアップ１８及び磁気ヘッド（図示せず）を光磁気ディスクの半径方向に移動自在に設ければ良い。また、光ディスクＤに代えて磁気ディスク（図示せず）をターンテーブル１５上に搭載した場合には、光ピックアップ１８に代えて磁気ヘッド（図示せず）を磁気ディスクの半径方向に移動自在に設ければ良い。
【００２８】
更に、メインフレーム１４の上方には、メインフレーム１４に対して振動吸収器として機能するサブフレーム１９がメインフレーム１４と略平行に配設されている。このサブフレーム１９は、メインフレーム１４よりも外形サイズが一回り小型で略矩形状に形成され、この内部にスピンドルモータ１６及び光ピックアップ１８を臨ませるための逃げ孔１９ａが大きく開口されている。
【００２９】
また、メインフレーム１４上で前後左右に間隔を離して植設した合計で４本のシャフト２０に合計で４個の第２の弾性部材２１が取り付けられている。そして、略矩形状に形成したサブフレーム１９の四隅に形成した各孔内に第２の弾性部材２１中の中間部位が嵌め込まれている。これにより、サブフレーム１９は４個の第２の弾性部材２１によりメインフレーム１４に対して略平行に弾性的に支持されている。
【００３０】
この際、実施例１では、サブフレーム１９がメインフレーム１４よりも上で且つターンテーブル１５のディスク載置面１５ａよりも下に配設されていると共に、サブフレーム１９の重心位置Ｇｓをメインフレーム１４上での全体の重心位置Ｇｍに略一致させ、且つ、サブフレーム１９の重心位置Ｇｓを中心にして前後左右それぞれ対称な寸法位置（Ｌ１，Ｌ１），（Ｌ２，Ｌ２）に４個の第２の弾性部材２１を配設している。
【００３１】
ここで、図２（ａ）に拡大して示した如く、上記した第１，第２の弾性部材１３，２１は、振動に対して減衰特性を有するゴム材又は樹脂材を用いて略円筒形状に成形加工により一体的に形成されており、略円筒形状の内部中心部位に中心孔１３ａ，２１ａが貫通して形成され、且つ、略円筒形状の外周下方から上方に向かって順に第１フランジ部１３ｂ，２１ｂと、環状溝部１３ｃ，２１ｃと、第２フランジ部１３ｄ，２１ｄとが形成されている。この際、第１，第２の弾性部材１３，２１は、メインフレーム１４及びサブフレーム１９の振動設計に合わせて材質，各部の寸法形状を適宜設定すれば良い。
【００３２】
そして、例えば、筐体１１内の左側についてのみ図２（ｂ）を用いて説明すると、筐体１１の左側板１１ｂの内側に突出形成した左側弾性部材支持片１１ｂ１にシャフト１２を介して第１の弾性部材１３を取り付けて、メインフレーム１４の左隅に形成した孔内に第１の弾性部材１３の環状溝部１３ｃを嵌め込み、第１の弾性部材１３の上部からワッシャー２２を介してネジ２３でシャフト１２に固定することで、メインフレーム１４が筐体１１に対して弾性的に支持され、同様に、メインフレーム１４上にシャフト２０を介して第２の弾性部材２１を取り付けて、サブフレーム１９の左隅に形成した孔内に第２の弾性部材２１の環状溝部２１ｃを嵌め込み、第２の弾性部材２１の上部からワッシャー２２を介してネジ２３でシャフト２０に固定することで、サブフレーム１９がメインフレーム１４に対して弾性的に支持されている。
【００３３】
そして、図３に示した如く、上記のように構成した本発明に係る実施例１のディスクドライブ装置１０Ａにおける振動モデルでは、筺体１１とメインフレーム１４との間を第１の弾性部材１３により弾性的に支持し、且つ、メインフレーム１４とサブフレーム１９との間を第２の弾性部材２１により弾性的に支持した際、先に図１を用いて説明したように偏重心を持つ光ディスクＤがターンテーブル１５上に搭載されてスピンドルモータ１６により高速に回転した時に、光ディスクＤの偏重心によりメインフレーム１４に振動が生じると、メインフレーム１４上で第２の弾性部材２１により弾性的に支持されたサブフレーム１９はメインフレーム１４に対して逆位相となって振動するため、メインフレーム１４の振動を効果的に減衰させることができる。この際、サブフレーム１９の重心位置Ｇｓをメインフレーム１４上での全体の重心位置Ｇｍに略一致させているので、メインフレーム１４で生じた振動をサブフレーム１９により従来例よりも一層効果的に抑制することができる。
【実施例２】
【００３４】
図４（ａ），（ｂ）は本発明に係る実施例２のディスクドライブ装置を示した正面図，側面図である。
【００３５】
図４（ａ），（ｂ）に示した本発明に係る実施例２のディスクドライブ装置１０Ｂは、先に図１を用いて説明した実施例１のディスクドライブ装置１０Ａの構成と一部を除いて同様の構成であり、ここでは説明の便宜上、先に示した構成部材に対しては同一の符号を付して図示し、且つ、異なる部位に新たな符号を付して異なる点を中心にして説明する。
【００３６】
図４（ａ），（ｂ）に示した如く、本発明に係る実施例２のディスクドライブ装置１０Ｂでは、スピンドルモータ１６と光ピックアップ１８とを取り付けたメインフレーム１４が第１の弾性部材１３により筺体１１内に弾性的に支持され、且つ、メインフレーム１４で発生する振動を抑制するために振動吸収器として機能するサブフレーム１９が第２の弾性部材２１によりメインフレーム１４上に弾性的に支持されている点は実施例１と同じであるものの、サブフレーム１９がターンテーブル１５に載置した光ディスクＤよりも上方に配置されている点が実施例１に対して大きく異なるものである。
【００３７】
これに伴って、本発明に係る実施例２のディスクドライブ装置１０Ｂは、フロントローディング型に構成されており、図４（ａ）に示したように、前面から見て左右に光ディスクＤを挿脱するためのディスクローディングケース（図示せず）を案内する一対のコ字状ガイドレール３１，３１が互いに対向して間隔を離して設けられている。
【００３８】
また、メインフレーム１４上には、実施例１で用いたシャフト２１に代えてシャフト２１よりも高さが高い段付きシャフト３２が前後左右に間隔を離して合計で４本植設されており、これらの段付きシャフト３２は下方の大径部３２ａと上方の小径部３２ｂとで一体形成されている。
【００３９】
また、各段付きシャフト３２の小径部３２ｂには、第２の弾性部材２１がそれぞれ取り付けられている。そして、略矩形状に形成したサブフレーム１９の四隅に形成した各孔内に第２の弾性部材２１中の中間部位が嵌め込まれている。これにより、サブフレーム１９は４個の第２の弾性部材２１により光ディスクＤの上方でメインフレーム１４に対して略平行に弾性的に支持されているので、メインフレーム１４からサブフレーム１９までの高さＨ３を先に図５（ｂ）を用いて説明した従来例の高さＨ２よりも高く設定することができる。
【００４０】
即ち、図４（ｂ）に、光ディスクＤとサブフレーム１９に加わる力の関係を示す。メインフレーム１４から光ディスクＤまでの高さをＨ１と設定し、メインフレーム１４からサブフレーム１９までの高さをＨ３と設定すると共に、光ディスクＤの偏重心により光ディスクＤの面方向に発生した力をＦ１とし、サブフレーム１９でこの力を打ち消すのに必要な力をＦ３とすると、下記の（２式）の関係が成り立つ。
【００４１】
［数２］
Ｆ３／Ｆ１＝Ｈ１／Ｈ３          ………（２式）
【００４２】
従って、上記した（２式）により、Ｈ３がＨ１に対して大きいと、Ｆ３は小さい値になる。この力Ｆ３に対する振動をサブフレーム１９で抑える場合を考えると、Ｆ３の力は小さいため、サブフレーム１９の質量を軽くすることが可能である。このように実施例２では従来例に比べ、より質量の軽いサブフレーム１９で効果的に振動を抑制することができ、実施例２のディスクドライブ装置１０Ｂの軽量化を行うことが可能である。
【図面の簡単な説明】
【００４３】
【図１】（ａ），（ｂ）は本発明に係る実施例１のディスクドライブ装置を示した上面図，縦断面図である。
【図２】本発明に係る実施例１のディスクドライブ装置において、（ａ）は図１に示した第１，第２の弾性部材を拡大して示した縦断面図であり、（ｂ）は第１，第２の弾性部材の支持状態を拡大して示した縦断面図である。
【図３】本発明に係る実施例１のディスクドライブ装置において、振動モデルを説明するための図である。
【図４】（ａ），（ｂ）は本発明に係る実施例２のディスクドライブ装置を示した正面図，側面図である。
【図５】（ａ），（ｂ）は従来のディスクの駆動装置を示した上面図、縦断面図である。
【図６】従来のディスクの駆動装置において、振動モデルを説明するための図である。
【符号の説明】
【００４４】
１０Ａ…実施例１のディスクドライブ装置、
１０Ｂ…実施例２のディスクドライブ装置、
１１…筐体、１１ａ…底板、１１ａ１〜１１ａ４…右側弾性部材支持片、
１１ｂ…左側板、１１ｂ１〜１１ｂ４…左側弾性部材支持片、
１４…メインフレーム、１４ａ…上面、１４ｂ…逃げ孔、
１２…シャフト、
１３…第１の弾性部材、１３ａ…中心孔、１３ｂ…第１フランジ部、
１３ｃ…環状溝部、１３ｄ…第２フランジ部、
１５…ターンテーブル、１５ａ…ディスク載置面、
１６…スピンドルモータ、１７，１７…一対のガイドレール、
１８…光ピックアップ、
１９…サブフレーム、１９ａ…逃げ孔、
２０…シャフト
２１…第２の弾性部材、２１ａ…中心孔、２１ｂ…第１フランジ部、
２１ｃ…環状溝部、２１ｄ…第２フランジ部、
２２…ワッシャー、２３…ネジ、
３１，３１…コ字状ガイドレール、３２…段付きシャフト、
Ｇｍ…メインフレーム１４の重心位置、Ｇｓ…サブフレーム１９の重心位置、
Ｄ…光ディスク。
【図１】
2006269025.tif 000003
【図２】
2006269025.tif 000004
【図３】
2006269025.tif 000005
【図４】
2006269025.tif 000006
【図５】
2006269025.tif 000007
【図６】
2006269025.tif 000008